(57)【要約】【課題】情報を磁気カードに記録し、磁気カードに記録した情報を磁気カードリーダで読み取るような従来の磁気カードシステムにおける既存の磁気カードリーダを変更することなく、情報を磁気カードを介さずに磁気カードリーダへ入力できるような磁気カードリーダ用アダプタ装置を提供する。【解決手段】磁気カードリーダの磁気読取ヘッドによって読み取り可能な磁気信号を生成するための情報を取得し、磁気ヘッドの磁気検知方向に略直行し、取得した情報に対応して所望の電流を流す少なくとも１本の導電部を有する平面状に形成された配線パターンにより磁気信号パターンを生成する。【選択図】  図２
2004334932.tif 000002
【特許請求の範囲】
【請求項１】
磁気カードリーダの磁気読取ヘッドによって読み取り可能な磁気信号を生成するための情報を取得する情報取得手段と、
前記情報取得手段によって取得した情報に応じて前記磁気信号を生成する磁気信号生成手段と
を具備し、
前記磁気信号生成手段は、
前記磁気読取ヘッドの磁気検知方向に略直行し、前記情報に対応して所望の電流を流す少なくとも１本の導電部を有する平面状に形成された配線パターンから構成されている
ことを特徴とする磁気カードリーダ用アダプタ装置。
【請求項２】
前記配線パターンは、
所定の間隔で配設され、それぞれ同一方向に電流を流すように配設された複数の導電部と、
前記複数の導電部に対して共通に電流を流す共通導電部と
を具備する
ことを特徴とする請求項１記載の磁気カードリーダ用アダプタ装置。
【請求項３】
前記配線パターンは、
所定の間隔で配設され、それぞれ交互に異なる方向に電流を流すように配設された複数の導電部を有するミアンダコイルからなる
ことを特徴とする請求項１記載の磁気カードリーダ用アダプタ装置。
【請求項４】
前記配線パターンは、
所定の間隔で配設され、それぞれ第１の方向に電流を流すように配設された複数の第１の導電部を有する第１の配線パターンと、
所定の間隔で配設され、それぞれ第１の方向と逆の第２の方向に電流を流すように配設された複数の第２の導電部を有する第２の配線パターンと、
前記第１の配線パターンおよび前記第２の配線パターンに対して共通に電流を流す共通導電部と
を具備することを特徴とする請求項１記載の磁気カードリーダ用アダプタ装置。
【請求項５】
前記配線パターンは、
所定の間隔で配設された複数の第１の導電部を有する第１の配線パターンと、
所定の間隔で配設され複数の第２の導電部を有する第２の配線パターンと、
前記第１の配線パターンの第１の導電部と前記第２の配線パターンの第２の導電部にそれぞれ流れる電流の方向が同一となるように前記第１の配線パターンおよび前記第２の配線パターンに対して共通に電流を流す共通導電部と
を具備することを特徴とする請求項１記載の磁気カードリーダ用アダプタ装置。
【請求項６】
前記導電部の間隔は前記磁気読取ヘッドとの距離の略２倍の距離に設定されている
ことを特徴とする請求項２乃至請求項５のいずれかに記載の磁気カードリーダ用アダプタ装置。
【請求項７】
前記配線パターンは、
前記磁気カードリーダの複数の磁気読取ヘッドに対応してそれぞれ独立に配置されている
ことを特徴とする請求項１乃至請求項６のいずれかに記載の磁気カードリーダ用アダプタ装置。
【請求項８】
前記配線パターンの裏側に磁性体の板を配置した
ことを特徴とする請求項１乃至請求項７のいずれかに記載の磁気カードリーダ用アダプタ装置。
【請求項９】
前記配線パターンは、
前記磁気カードリーダに挿入可能なカード状シート材の両面に形成されていることを特徴とする請求項１乃至請求項８のいずれかに記載の磁気カードリーダ用アダプタ装置。
【請求項１０】
前記磁気信号生成手段は、
前記磁気カードリーダに前記カード状シート材を挿入した状態で前記磁気カードリーダにより前記磁気カードリーダに対するカードのスキャンによる読み取られる情報に対応した情報が読み取られるように時間的変化する磁気信号を生成する
ことを特徴とする請求項１乃至請求項９のいずれかに記載の磁気カードリーダ用アダプタ装置。
【発明の詳細な説明】
【０００１】
【発明の属する技術分野】
この発明は、磁気カードリーダ用アダプタ装置に関し、特に、従来の磁気カードリーダに対して磁気カードを介さずに情報を入力することが可能な磁気カードリーダ用アダプタ装置に関する。
【０００２】
【従来の技術】
近年、情報を磁気カードに記録し、磁気カードに記録した情報を磁気カードリーダを介して読み取るという従来の磁気カードシステムに対して情報をＩＣカードや携帯電話等のモバイル機器に記憶させ、ＩＣカードやモバイル機器に記憶させた情報をＩＣカードやモバイル機器と情報の授受が可能な読取装置を介して情報を読み取るというシステムが提案されている。
【０００３】
ＩＣカードやモバイル機器は、磁気カードと比べて多くの情報量が記憶でき、セキュリティーが優れているということからＩＣカードやモバイル機器に情報を記憶させ、記憶させた情報をＩＣカードやモバイル機器の読取装置を介して情報の授受を行うようなシステムへ移行しつつある。
【０００４】
例えば特許文献１に示されるように、クレジットカード契約者のＩＤを記憶して、パスワード等による本人認証機能を持つ携帯電話を利用し、クレジットカード会社からその携帯電話に電話をかけることにより本人確認を行うようなクレジット決済サービス方法が提案されている。
【０００５】
上記提案のクレジット決済サービス方法は、顧客が購入商品の決済を行う場合に、顧客の携帯電話をクレジット取引端末に接続することにより、クレジットカード会社のホストコンピュータシステムから顧客の携帯電話に本人確認の電話をかけて本人確認するようにしたクレジット決済サービス方法である。
【０００６】
【特許文献１】
特開２００３−０３０５５９号公報
【発明が解決しようとする課題】
しかしながら、従来の磁気カードを用いた決済サービスシステムは広く普及されているので、この既存の磁気カードを用いた決済サービスシステムでＩＣカードや携帯電話等のモバイル機器に記憶された情報を用いて決済サービスが行えるようにするために、この既存の磁気カードを用いた決済サービスシステムの磁気カードリーダでＩＣカードや携帯電話等のモバイル機器に記憶した情報が読み取れるようなアダプタ装置の開発が望まれている。
【０００７】
そこで、この発明は、既存の磁気カードシステムにおける磁気カードリーダを変更することなく、情報を磁気カードを介さずに磁気カードリーダへ入力できるような磁気カードリーダ用アダプタ装置を提供することを目的とする。
【０００８】
【課題を解決するための手段】
上記目的を達成するため請求項１の発明は、磁気カードリーダの磁気読取ヘッドによって読み取り可能な磁気信号を生成するための情報を取得する情報取得手段と、前記情報取得手段によって取得した情報に応じて前記磁気信号を生成する磁気信号生成手段とを具備し、前記磁気信号生成手段は、前記磁気読取ヘッドの磁気検知方向に略直行し、前記情報に対応して所望の電流を流す少なくとも１本の導電部を有する平面状に形成された配線パターンから構成されていることを特徴とする。
【０００９】
また、請求項２の発明は、請求項１の発明において、前記配線パターンは、所定の間隔で配設され、それぞれ同一方向に電流を流すように配設された複数の導電部と、前記複数の導電部に対して共通に電流を流す共通導電部とを具備することを特徴とする。
【００１０】
また、請求項３の発明は、請求項１の発明において、前記配線パターンは、所定の間隔で配設され、それぞれ交互に異なる方向に電流を流すように配設された複数の導電部を有するミアンダコイルからなることを特徴とする。
【００１１】
また、請求項４の発明は、前記配線パターンは、所定の間隔で配設され、それぞれ第１の方向に電流を流すように配設された複数の第１の導電部を有する第１の配線パターンと、所定の間隔で配設され、それぞれ第１の方向と逆の第２の方向に電流を流すように配設された複数の第２の導電部を有する第２の配線パターンと、前記第１の配線パターンおよび前記第２の配線パターンに対して共通に電流を流す共通導電部とを具備することを特徴とする。
【００１２】
また、請求項５の発明は、請求項１の発明において、前記配線パターンは、所定の間隔で配設された複数の第１の導電部を有する第１の配線パターンと、所定の間隔で配設され複数の第２の導電部を有する第２の配線パターンと、前記第１の配線パターンの第１の導電部と前記第２の配線パターンの第２の導電部にそれぞれ流れる電流の方向が同一となるように前記第１の配線パターンおよび前記第２の配線パターンに対して共通に電流を流す共通導電部とを具備することを特徴とする。
【００１３】
また、請求項６の発明は、請求項２乃至請求項５のいずれかの発明において、前記導電部の間隔は前記磁気読取ヘッドとの距離の略２倍の距離に設定されていることを特徴とする。
【００１４】
また、請求項７の発明は、請求項１乃至請求項６のいずれかの発明において、前記配線パターンは、前記磁気カードリーダの複数の磁気読取ヘッドに対応してそれぞれ独立に配置されていることを特徴とする。
【００１５】
また、請求項８の発明は、請求項１乃至請求項７のいずれかの発明において、前記配線パターンの裏側に磁性体の板を配置したことを特徴とする。
【００１６】
また、請求項９の発明は、請求項１乃至請求項８のいずれかの発明において、前記配線パターンは、前記磁気カードリーダに挿入可能なカード状シート材の両面に形成されていることを特徴とする。
【００１７】
また、請求項１０の発明は、請求項１乃至請求項９のいずれかの発明において、前記磁気信号生成手段は、前記磁気カードリーダに前記カード状シート材を挿入した状態で前記磁気カードリーダにより前記磁気カードリーダに対するカードのスキャンによる読み取られる情報に対応した情報が読み取られるように時間的変化する磁気信号を生成することを特徴とする。
【００１８】
【発明の実施の形態】
以下、この発明の実施の形態について図面を参照して説明する。
【００１９】
図１は、この発明に係わる磁気カードリーダ用アダプタ装置を用いた一実施の形態の要部の構成を示すブロック図である。
【００２０】
図１において、この発明に係わる磁気カードリーダ用アダプタ装置１は、既存の磁気カードリーダ２のカード挿入口へ磁気カードの代わりに磁気カードリーダ用アダプタ装置１を挿入し、磁気カードリーダ用アダプタ装置１が情報に応じて生成した磁気信号を磁気カードを介すことなく磁気カードリーダ２へ入力できるように構成したものである。
【００２１】
この実施の形態に示した例は、従来の電子決済システムにおいて、磁気カードの代わりに磁気カードリーダ用アダプタ装置１を用いて決済するように適用したものである。
【００２２】
図１に示すように、この発明に係わる磁気カードリーダ用アダプタ装置１を用いた電子決済システム１００は、ＣＡＴ（＝Ｃｒｅｄｉｔ  Ａｕｔｈｏｒｉｚａｔｉｏｎ  Ｔｅｒｍｉｎａｌ：信用照会）端末３とケーブルを介して接続された磁気カードリーダ２と、磁気カードリーダ用アダプタ装置１とＲＳ−２３２Ｃ等のケーブルを介して接続された赤外線通信装置４と、赤外線通信装置４と赤外線を介して情報の送受信が可能な携帯電話５とを備えており、磁気カードリーダ用アダプタ装置１が磁気カードリーダ２のカード挿入口へ挿入されている。
【００２３】
なお、磁気カードリーダ用アダプタ装置１は、既存の磁気カードの大きさおよび厚さと略同様であり、カード挿入口へ差し込み、引き出し自在であるが、磁気カードリーダ用アダプタ装置１を図１に示すような位置に停止させたまま使用するものとする。
【００２４】
従来の磁気カードを用いた電子決済システムにおいては、利用客が購入した商品の代金を決済する場合には、利用客の銀行口座やカード番号情報等が記録された磁気カードを磁気カードリーダ２のカード挿入口へ所定の方向で差し込み、差し込んだ磁気カードを所定の方向へ所定の速度で移動させることで磁気カードに記録された情報の磁気信号が磁気カードリーダ２によって検知され読み取られる。
【００２５】
そして、磁気カードリーダ２によって読み取られた情報は、磁気カードリーダ２とケーブルを介して接続されたＣＡＴ端末３へ入力されて決済処理される。
【００２６】
磁気カードは、プラスチック製のカードの表面部もしくは裏面部の所定の位置に磁性塗料を帯状に塗布させ、この磁性塗料の帯（以下、「磁気トラック」という。）に磁気ライタの磁気書込用ヘッドを介して情報に応じた磁界を与えることにより、情報に応じた磁化パターンが磁気トラック上に生成され保磁されている。
【００２７】
このように記録された磁気カードの情報を磁気カードリーダ２が読み取る場合は、磁気カードの移動に伴い、磁気カードの磁気トラックが磁気カードリーダ２の図示せぬ磁気読取ヘッド上を所定の速度で通過することにより、磁気トラック上に保磁された磁界（磁気信号）を磁気読取ヘッドが検知し、検知した磁界のパターン（以下、「磁気信号パターン」という。）を磁気カードの情報として磁気カードリーダ２が読み取る。
【００２８】
電子決済システムに用いられる磁気カードの磁気トラックには、例えば磁気カード固有のカード番号やカード所有者の銀行口座情報等が予め記録されており、これらの情報に応じた磁気信号パターンが磁気カードリーダ２によって読み取られることにより決済処理が可能となる。
【００２９】
図１に示した磁気カードリーダ用アダプタ装置１を用いた電子決済システム１００においては、従来の磁気カードに記録された情報を利用客の携帯電話５を介して入力するように構成されている。
【００３０】
例えば、携帯電話５は、利用客の銀行口座や個人情報等（以下、「個人情報」という。）を記憶した図示せぬＩＣチップと、既存の電話通信機能とは別に数メートル以内の距離内を赤外線を介して情報授受の通信が可能な赤外線通信機能を備えており、携帯電話５の所定の操作によりＩＣチップに記憶された個人情報が赤外線を介して送信できるように構成されている。
【００３１】
利用客が購入した商品の代金を決済する場合には、利用客は携帯電話５を赤外線通信装置４の図示せぬ受信部に近づけ、携帯電話５の所定の操作を行うことにより、ＩＣチップに記憶された個人情報が赤外線を介して赤外線通信装置４へ入力される。
【００３２】
赤外線通信装置４は、数メートル以内の距離内を赤外線を介して情報の送受信が可能な通信装置であり、携帯電話５から赤外線を介して送信された個人情報が赤外線通信装置４に受信され入力されるように構成されている。
【００３３】
赤外線通信装置４に入力された個人情報は、赤外線通信装置４の図示せぬ記憶装置に記憶された変換テーブルＡによって磁気信号の情報に変換されてＲＳ−２３２Ｃのケーブルを介して磁気カードリーダ用アダプタ装置１へ入力される。
【００３４】
なお、変換テーブルＡは、磁気カードリーダ用アダプタ装置１が携帯電話５から赤外線を介して入力された個人情報に対応した磁気信号が生成できるような変換データがテーブル化されて管理されている。
【００３５】
磁気カードリーダ用アダプタ装置１は、赤外線通信装置４から入力された個人情報に基づいて磁界（磁気信号）を生成し、磁気カードリーダ用アダプタ装置１によって生成された磁気信号が磁気カードリーダ２によって検知され読み取られる。
【００３６】
磁気カードリーダ２によって読み取られた個人情報は、磁気カードリーダ２とケーブルを介して接続されたＣＡＴ端末３へ入力されて決済処理される。
【００３７】
ところで、この発明に係わる磁気カードリーダ用アダプタ装置１は、個人情報に応じた磁気信号を生成して磁気カードリーダ２へ個人情報を入力することができる。
【００３８】
図２は、図１に示した磁気カードリーダ用アダプタ装置１の要部の構成を示すブロック図である。
【００３９】
図２（ａ）は磁気カードリーダ用アダプタ装置１の要部の平面図であり、図２（ｂ）は磁気カードリーダ用アダプタ装置１の要部の側面図である。
【００４０】
図２（ｃ）は、磁気カードリーダ用アダプタ装置１を磁気カードリーダ２のカード挿入口へ挿入した状態の磁気カードリーダ用アダプタ装置１と磁気カードリーダ２の要部の側面図である。
【００４１】
図２において、磁気カードリーダ用アダプタ装置１は、既存の磁気カードと略同様な大きさと厚さで成形されており、既存の磁気カードが所定の位置に所定の大きさの磁気トラックを形成しているのと同様に、磁気カードリーダ用アダプタ装置１の所定の位置に、所定の大きさの磁気信号生成部１３（図２（ａ）の破線で囲まれた部分）が配置されている。
【００４２】
すなわち、図２（ｃ）に示すように、磁気カードリーダ２のカード挿入口２１へ所定の方向で磁気カードリーダ用アダプタ装置１を挿入すると、磁気カードリーダ２の磁気ヘッド２０と対向するような位置に磁気カードリーダ用アダプタ装置１の磁気信号生成部１３が配置されている。
【００４３】
図２（ａ）に示すように、磁気カードリーダ用アダプタ装置１は、ＲＳ−２３２Ｃを介して磁気カードリーダ用アダプタ装置１と赤外線通信装置４との間の情報を授受するインタフェース部１１と、赤外線通信装置４から入力された個人情報に応じて磁気信号生成部１３へ流す電流の方向を制御するとともに磁気カードリーダ用アダプタ装置１全体を制御する制御部１２と、制御部１２によって制御された電流の方向に応じて磁界を生成する磁気信号生成部１３を具備し、これらの各部が基板１０上に形成されて図２（ｂ）に示すようにプラスチック製のカードの中に合着されている。
【００４４】
赤外線通信装置４から入力された個人情報は、インタフェース部１１を介して制御部１２へ入力され、制御部１２が個人情報に応じて磁気信号生成部１３へ流す電流の方向を制御する。
【００４５】
磁気信号生成部１３は、電流を流す少なくとも１本の導電部を有する平面状に形成された配線パターンから構成されており、制御部１２によって個人情報に応じて方向制御された電流が配線パターンＡに流れることにより、配線パターンＡには個人情報に対応した磁界が形成される。
【００４６】
図３は、図２に示した磁気信号生成部１３の配線パターンの一例を示す図である。
【００４７】
図３（ａ）は、配線パターンの形状を示す図であり、図３（ｂ）および図３（ｃ）は、図３（ａ）に示した配線パターンに流れる電流の方向に応じて生成される磁界を示す図である。
【００４８】
なお、配線パターンは、エッチングや導電ペースト印刷、その他の方法によって図２（ａ）に示した基板１０上に形成し、その表面をカバー材で覆うように構成されている。
【００４９】
図３を参照しながら個人情報に応じた磁界を配線パターンに生成する方法について説明する。
【００５０】
図３（ａ）に示すように、配線パターン（以下、「配線パターンＡ」という。）は、それぞれ同一方向に電流を流すように配設された複数の導電部Ａ１、Ａ２、Ａ３、・・・Ａｎと、複数の導電部Ａ１、Ａ２、Ａ３、・・・Ａｎに対して共通に電流を流す共通導電部ＡＣ１を接続した形状に形成されており、各導電部Ａ１、Ａ２、Ａ３、・・・Ａｎのそれぞれの間隔ｄは、図２に示した磁気信号生成部１３と磁気カードリーダ２の磁気ヘッド２０との距離ｔの略２倍の距離を保って配置されている。
【００５１】
このような間隔ｄで各導電部Ａ１、Ａ２、Ａ３、・・・Ａｎを配置することにより、各導電部に形成される磁界の強さを最大にすることが可能となる。
【００５２】
上述の図２で説明したうように、制御部１２は、制御部１２に入力された個人情報に応じて配線パターンＡへ流す電流の方向を制御する。
【００５３】
例えば、図３（ｂ）に示すように、配線パターンＡに順方向（矢印付実線３０１）の電流を流すと、配線パターンＡの各導電部Ａ１、Ａ２、Ａ３、・・・Ａｎに流れる電流の向きは全て矢印付実線３０２の向きとなり、各導電部Ａ１、Ａ２、Ａ３、・・・Ａｎにはそれぞれ矢印付実線３０３の磁極の方向（以下、「ＳＮ極」という。）を示す磁界が生成される。
【００５４】
また、図３（ｃ）に示すように、配線パターンＡに逆方向（矢印付実線３０４）の電流を流すと、配線パターンＡの各導電部Ａ１、Ａ２、Ａ３、・・・Ａｎに流れる電流の向きは全て矢印付実線３０５の向きとなり、各導電部Ａ１、Ａ２、Ａ３、・・・Ａｎにはそれぞれ矢印付実線３０６の磁極の方向（以下、「ＮＳ極」という。）を示す磁界が生成される。
【００５５】
制御部１２に入力された個人情報を例えば「１００１１」とすると、制御部１２は、入力された個人情報「１００１１」に基づいて次のような制御を行い、個人情報「１００１１」に対応した磁気信号（磁界）のパターンを配線パターンＡに生成する。
【００５６】
まず、制御部１２は、入力された個人情報「１００１１」を「１」、「０」、「０」、「１」、「１」の順に分解し、分解した個人情報の「１」、「０」の情報に応じて、例えば、「１」の場合には配線パターンＡに生成された磁気信号が、所定の時間の間に「ＳＮ極」から「ＮＳ極」もしくは「ＮＳ極」から「ＳＮ極」へ反転するように制御し、「０」の場合には所定の時間の間に磁気信号が反転しないように制御する。
【００５７】
配線パターンＡに流れる電流は、所定の周波数に同期して順方向（図３（ｂ）、矢印付実線３０１）と逆方向（図３（ｃ）、矢印付実線３０４）のそれぞれの方向に交互に流れるように構成されており、配線パターンＡに電流が流れると所定の周波数の周期ｔ（ｔ１、ｔ２、ｔ３、ｔ４、ｔ５・・・）毎に配線パターンＡには順方向と逆方向の電流が流れ、図３（ｄ）に示すような磁気信号パターン３１０が生成される。
【００５８】
図３（ｄ）に示した磁気信号パターン３１０は、横軸ｔを所定の周波数の各周期の時間（ｔ１、ｔ２、ｔ３、ｔ４、ｔ５、・・・）とし、縦軸を横軸ｔの各時間におけるそれぞれの磁気信号（配線パターンＡに生成された磁界の「ＳＮ極」もしくは「ＮＳ極」の極性）の値を示したものである。
【００５９】
図３（ｄ）に示すように、磁気信号パターン３１０は、時間ｔ（ｔ１、ｔ２、ｔ３、ｔ４、ｔ５・・・）毎に配線パターンＡへ流れる電流の向きが順方向から逆方向に変わるので、時間ｔが「０からｔ１」の間は「ＳＮ極」、「ｔ１からｔ２」の間は「ＮＳ極」、「ｔ２からｔ３」の間は「ＳＮ極」、「ｔ３からｔ４」の間は「ＮＳ極」、「ｔ４からｔ５」の間は「ＳＮ極」・・・というような磁気信号が配線パターンＡに生成される。
【００６０】
この磁気信号パターン３１０を所定の時間の間に「ＳＮ極」から「ＮＳ極」もしくは「ＮＳ極」から「ＳＮ極」のいずれかへ反転した時を「１」とし、所定の時間の間に磁気信号が反転しない時を「０」の情報とするような制御方法に対応させてみると、磁気信号パターン３１０の時間ｔが「０からｔ１」の間は、磁気信号が「ＳＮ極」から「ＮＳ極」もしくは「ＮＳ極」から「ＳＮ極」のいずれかへ反転するような磁気信号が生成されていないので「０」という情報を示すこととなる。
【００６１】
また、時間ｔが「ｔ１からｔ２」の間も磁気信号が「ＳＮ極」から「ＮＳ極」もしくは「ＮＳ極」から「ＳＮ極」のいずれかへ反転するような磁気信号が生成されていないので「０」という情報を示す。
【００６２】
同様に時間ｔが「ｔ２からｔ３」の間、「ｔ３からｔ４」の間、「ｔ４からｔ５」の間のそれぞれにおいて、磁気信号が「ＳＮ極」から「ＮＳ極」もしくは「ＮＳ極」から「ＳＮ極」のいずれかへ反転するような磁気信号が生成されていないので、それぞれ「０」、「０」、「０」という情報を示すこととなる。
そこで、個人情報「１００１１」に対応する磁気信号パターンを生成するために、制御部１２は、磁気信号パターン３１０の「０」、「０」、「０」、「０」、「０」を「１」、「０」、「０」、「１」、「１」へ変調するような制御を行う。
【００６３】
磁気信号パターン３１０の「０」、「０」、「０」、「０」、「０」を「１」、「０」、「０」、「１」、「１」へ変調するために制御部１２は、磁気信号パターン３１０の時間ｔが「０からｔ１」の間と、「ｔ３からｔ４」の間および「ｔ４からｔ５」の間のそれぞれにおいて、配線パターンＡに生成される磁気信号が「ＳＮ極」から「ＮＳ極」もしくは「ＮＳ極」から「ＳＮ極」のいずれかへ反転するように配線パターンＡへ流れる電流の方向を順方向もしくは逆方向に方向制御する。
【００６４】
このように制御することによって、配線パターンＡには、個人情報「１００１１」に対応した図３（ｅ）に示すような磁気信号パターン３２０が生成される。
【００６５】
磁気信号パターン３２０は、図３（ｅ）に示すように、時間ｔが「０からｔ１」の間に磁気信号が「ＳＮ極」から「ＮＳ極」へ反転した磁気信号が生成されるので「１」という情報を示すこととなる。
【００６６】
時間ｔが「ｔ１からｔ２」の間は、磁気信号が「ＳＮ極」のままなので「０」という情報を示すこととなる。
【００６７】
同様に時間ｔが「ｔ２からｔ３」の間、「ｔ３からｔ４」の間、「ｔ４からｔ５」の間のそれぞれにおいて、それぞれ「０」、「１」、「１」という情報を示すこととなる。
【００６８】
配線パターンＡに生成された磁気信号パターン３２０は、磁気カードリーダ２の磁気ヘッド２０が検知し、磁気カードリーダ２は、磁気ヘッド２０が検知した磁気信号パターン３２０のうちの、所定の時間の間に「ＳＮ極」から「ＮＳ極」もしくは「ＮＳ極」から「ＳＮ極」のいずれかへ反転した時（「０からｔ１」の間と、「ｔ３からｔ４」の間および「ｔ４からｔ５」の間）を「１」とし、所定の時間の間に磁気信号が反転しない時（「ｔ１からｔ２」の間と「ｔ２からｔ３」の間）を「０」の情報として読み取る。
【００６９】
上述に説明した如く、この発明に係わる磁気カードリーダ用アダプタ装置１は、時間的に変化する磁気信号を生成し、入力された個人情報に応じた磁気信号パターンを生成するので、磁気カードリーダ２のカード挿入口２１に挿入したまま移動させることなく磁気カードリーダ２へ個人情報を入力することができる。
【００７０】
図４は、図３に示した配線パターンＡの形状とは他の形状の配線パターンの例を示す図である。
【００７１】
図４（ａ）は、複数の導電部を並列接続したブロックを複数形成し、複数形成されたブロックを直列接続した配線パターン（以下、「配線パターンＢ」という。）の形状を示す図である。
【００７２】
図４（ｂ）は、所定の間隔で配設され、それぞれ交互に異なる方向に電流を流すように配設された平面状の形成されたミアンダコイル（以下、「配線パターンＣ」という。）を示す図である。
【００７３】
図４（ｃ）は、図４（ａ）に示した配線パターンＢ４００に流れる電流の方向に応じて生成される磁界を示す図である。
【００７４】
図４（ｄ）は、図４（ｂ）に示した配線パターンＣ４０１に流れる電流の方向に応じて生成される磁界を示す図である。
【００７５】
図４（ａ）に示すように、配線パターンＢ４００は、複数の導電部Ｂ１、Ｂ２、Ｂ３、Ｂ４が並列接続されたブロックＡ４０２と、ブロックＡ４０２と同様に複数の導電部Ｂ５、Ｂ６、Ｂ７、Ｂ８が並列接続されたブロックＢ４０３とを直列に接続した形状に形成されている。
【００７６】
なお、ブロックＡ４０２およびブロックＢ４０３を構成する各導電部の数は任意であり、ブロックＡ４０２およびブロックＢ４０３のブロック数も任意である。
【００７７】
また、配線パターンＣは、一本の導電部を所定長さ毎に直角に蛇行させて図４（ｂ）に示すような複数の導電部Ｃ１、Ｃ２、Ｃ３・・・Ｃｎが直列に接続されたような形状に形成されている。
【００７８】
配線パターンＢおよび配線パターンＣは、図３に示した配線パターンＡと同様にエッチングや導電ペースト印刷、その他の方法によって基板上に配線パターンを形成し、その表面をカバー材で覆うように構成されている。
【００７９】
配線パターンＢおよび配線パターンＣを図２に示した磁気カードリーダ用アダプタ装置１の磁気信号生成部１３に用いた場合のこれらの配線パターンＢおよび配線パターンＣに生成される個人情報に応じた磁界について説明する。
【００８０】
なお、配線パターンＢおよび配線パターンＣを図２に示した磁気信号生成部１３に用いた場合の磁気カードリーダ用アダプタ装置の構成は、磁気信号生成部１３の図３に示した配線パターンＡを配線パターンＢおよび配線パターンＣのそれぞれに置き換えた他は図２に示した磁気カードリーダ用アダプタ装置１の構成と同様であるので、磁気カードリーダ用アダプタ装置を構成する各部の動作についての詳細説明は省略する。
【００８１】
まず、図４（ａ）に示した配線パターンＢ４００を磁気信号生成部１３に用いた場合の配線パターンＢ４００に生成される個人情報に応じた磁界について説明する。
【００８２】
図４（ａ）に示した配線パターンＢ４００に図４（ｃ）に示すような方向（矢印付実線４０４）の電流を流すと、ブロックＡ４０２の各導電部Ｂ１、Ｂ２、Ｂ３、Ｂ４に流れる電流の方向（矢印付実線４０５）とブロックＢ４０３の各導電部Ｂ５、Ｂ６、Ｂ７、Ｂ８に流れる電流の方向（矢印付実線４０６）とは逆方向となる。
【００８３】
ブロックＡ４０２の各導電部Ｂ１、Ｂ２、Ｂ３、Ｂ４に流れる電流の方向（矢印付実線４０５）とブロックＢ４０３の各導電部Ｂ５、Ｂ６、Ｂ７、Ｂ８に流れる電流の方向（矢印付実線４０６）とが互いに逆方向となることから、図３（ｃ）に示すように、配線パターンＢ４００のブロックＡ４０２に流れる電流が形成する磁界の方向（矢印付実線４０７）とブロックＢ４０３に流れる電流が形成する磁界の方向（矢印付実線４０８）とが互いに逆方向となる。
【００８４】
このような配線パターンＢ４００を磁気カードリーダ用アダプタ装置１の磁気信号生成部１３に用いた場合は、磁気カードリーダ２の磁気ヘッド２０が配線パターンＢ４００のブロックＡ４０２の磁気信号を検知した場合と、ブロックＢ４０３の磁気信号を検知した場合とでは互いに磁気信号が反転した状態で検知される。
【００８５】
次に、図４（ｂ）に示した配線パターンＣ４０１を磁気信号生成部１３に用いた場合の配線パターンＣ４０１に生成される個人情報に応じた磁界について説明する。
【００８６】
図４（ｂ）に示した配線パターンＣ４０１に図３（ｄ）に示すような方向（矢印付実線４０９）の電流を流すと、導電部Ｃ１に流れる電流の方向（矢印付実線４１０）と導電部Ｃ２に流れる電流の方向（矢印付実線４１１）とが互いに逆方向であり、導電部Ｃ２に流れる電流の方向（矢印付実線４１１）と導電部Ｃ３に流れる電流の方向とが互いに逆方向となる。
【００８７】
このように各導電部Ｃ１、Ｃ２、Ｃ３・・・Ｃｎに流れる電流の方向が交互して互いに逆方向の電流が流れることとなる。
【００８８】
各導電部Ｃ１、Ｃ２、Ｃ３・・・Ｃｎに形成される磁界の方向は、図３（ｄ）に示すように、各導電部Ｃ１、Ｃ２、Ｃ３・・・Ｃｎに流れる電流の方向に対応して矢印付実線４１２の方向の磁界と、矢印付実線４１３の方向の磁界とが交互に生成される。
【００８９】
このような配線パターンＣ４０１を磁気カードリーダ用アダプタ装置１の磁気信号生成部１３に用いた場合は、磁気カードリーダ２の磁気ヘッド２０が各導電部のうちの互いに隣り合う導電部では磁気信号が互いに反転した状態で検知される。
【００９０】
上述の如く、配線パターンＢ４００および配線パターンＣ４０１を磁気信号生成部１３に用いた場合においては、配線パターンＢ４００のブロックＡ４０２とブロックＢ４０３のそれぞれに生成される磁気信号を磁気ヘッド２０が検知した場合、もしくは配線パターンＣ４０１の互いに隣り合うそれぞれの導電部に生成される磁気信号を磁気ヘッド２０が検知した場合では、それぞれ互いに磁気信号が反転した状態で検知されるが、磁気カードリーダ２は、磁気ヘッド２０が検知した磁気信号が所定の時間の間に反転した時は「１」とし、反転しない時は「０」として認識するので、磁気信号生成部１３に生成された磁気信号に基づいて個人情報を特定することができる。
【００９１】
なお、図２に示した磁気信号生成部１３には種々の形状の配線パターンの適用が可能であり、図３および図４（ａ）、図４（ｂ）に示した各配線パターンの形状に限定されるものではない。
【００９２】
図５は、図２に示したような磁気カードリーダ用アダプタ装置に複数の配線パターンを配置した例を示す図である。
【００９３】
図５（ａ）は、図２に示した磁気カードリーダ用アダプタ装置１に複数の配線パターンを配置した磁気カードリーダ用アダプタ装置５００の要部の平面図であり、図５（ｂ）は磁気カードリーダ用アダプタ装置５００の要部の側面図である。
【００９４】
図５（ｃ）は、磁気カードリーダ用アダプタ装置５００を磁気カードリーダ５２０へ挿入した状態の磁気カードリーダ用アダプタ装置５００と磁気カードリーダ５２０の要部の側面図である。
【００９５】
図５（ａ）に示すように、磁気カードリーダ用アダプタ装置５００は、複数の配線パターンを独立して並列に配置して磁気信号生成部５０３と磁気信号生成部５０４を備えるように構成したものである。
【００９６】
このような構成とすることにより磁気読取ヘッドを複数有する磁気カードリーダ５２０に対応して磁気カードリーダ用アダプタ装置５００から磁気カードを介さずに情報を磁気カードリーダ５２０へ入力することが可能となる。
【００９７】
図５（ａ）に示すように、磁気カードリーダ用アダプタ装置５００は、図２に示した磁気カードリーダ用アダプタ装置１と同様にＲＳ−２３２Ｃを介して磁気カードリーダ用アダプタ装置５００と赤外線通信装置４との間の情報を授受するインタフェース部５０１と、赤外線通信装置４から入力された個人情報に応じて磁気信号生成部５０３および磁気信号生成部５０４へ流す電流の方向を制御するとともに磁気カードリーダ用アダプタ装置５００全体を制御する制御部５０２と、制御部５０２によって制御された電流の方向に応じて磁界を生成する磁気信号生成部５０３および磁気信号生成部５０４を具備し、これらの各部が基板５０５上に形成されて図５（ｂ）に示すようにプラスチック製のカードの中に合着されている。
【００９８】
赤外線通信装置４から入力された個人情報は、インタフェース部５０１を介して制御部５０２へ入力され、制御部５０２が個人情報に応じて磁気信号生成部５０３および磁気信号生成部５０４へ流す電流の方向を制御する。
【００９９】
制御部５０２が個人情報に応じて磁気信号生成部５０３および磁気信号生成部５０４へ流す電流の方向を制御するので磁気信号生成部５０３および磁気信号生成部５０４の各配線パターンには個人情報に対応した磁界が生成される。
【０１００】
このように磁気信号生成部５０３および磁気信号生成部５０４に生成された磁界は、図５（ｃ）に示すように磁気カードリーダ５２０の磁気ヘッド５２４および磁気ヘッド５２３にそれぞれ検知され、磁気ヘッド５２４および磁気ヘッド５２３が検知した磁気信号に基づいて磁気カードリーダ５２０が個人情報を読み取る。
【０１０１】
なお、制御部５０２は、磁気信号生成部５０３および磁気信号生成部５０４へ流す電流の方向をそれぞれ独立して制御できるので、それぞれに同一の磁気信号を生成することも可能であるし、それぞれに別々の磁気信号を生成することも可能である。
【０１０２】
また、個人情報に応じた磁界を磁気信号生成部５０３および磁気信号生成部５０４に生成する方法については、図３に示した動作と同様であるので詳細説明は省略する。
【０１０３】
図６は、図２に示したような磁気カードリーダ用アダプタ装置の表裏の両面に複数の配線パターンを配置した例を示す図である。
【０１０４】
図６（ａ）、図６（ｂ）は、図２に示した磁気カードリーダ用アダプタ装置１の表裏の両面に複数の配線パターンを配置した磁気カードリーダ用アダプタ装置６００の表面部（図６（ａ））と裏面部（図６（ｂ））の要部の平面図であり、図６（ｃ）は図６（ａ）および図６（ｂ）に示したような表面部および裏面部を有する磁気カードリーダ用アダプタ装置６００の要部の側面図である。
【０１０５】
図６（ｄ）は、磁気カードリーダ用アダプタ装置６００を磁気カードリーダ６２０へ挿入した状態の磁気カードリーダ用アダプタ装置６００と磁気カードリーダ６２０の要部の側面図である。
【０１０６】
図６に示した磁気カードリーダ用アダプタ装置６００は、表面部には図２に示したような磁気信号生成部１３と同様な磁気信号生成部６０３を形成し、裏面部には図５に示したような磁気信号生成部５０３および磁気信号生成部５０４と同様な磁気信号生成部６０５および磁気信号生成部６０６を独立して並列に配置して構成したものである。
【０１０７】
このような構成とすることにより磁気読取ヘッドを複数有し、複数有する磁気読取ヘッドのうちの何れかの磁気読取ヘッドが対向して配置された磁気カードリーダ６２０に対応して磁気カードリーダ用アダプタ装置６００から磁気カードを介さずに情報を磁気カードリーダ６２０へ入力することが可能となる。
【０１０８】
図６（ａ）および図６（ｂ）に示すように、磁気カードリーダ用アダプタ装置６００は表面部と裏面部にそれぞれ磁気信号生成部６０３（表面部）と、磁気信号生成部６０５および磁気信号生成部６０６（裏面部）とが形成され、各磁気信号生成部６０３、６０５、６０６に流す電流の方向制御する制御部６０２と、磁気カードリーダ用アダプタ装置６００と赤外線通信装置４との間をＲＳ−２３２Ｃを介して情報を授受するインタフェース部６０１とを具備し、磁気信号生成部６０３が基板６０４、磁気信号生成部６０５および磁気信号生成部６０６（裏面部）が基板６０４、インタフェース部６０１と制御部６０２が基板６０４および基板６０７の何れかに形成されて図６（ｄ）に示すようにプラスチック製のカードの中に合着されている。
【０１０９】
赤外線通信装置４から入力された個人情報は、インタフェース部６０１を介して制御部６０２へ入力され、制御部６０２が個人情報に応じて磁気信号生成部６０３と磁気信号生成部６０５および磁気信号生成部６０６へ流す電流の方向を制御する。
【０１１０】
制御部６０２が個人情報に応じて磁気信号生成部６０３と磁気信号生成６０５および磁気信号生成部６０６へ流す電流の方向を制御するので磁気信号生成部６０３と磁気信号生成６０５および磁気信号生成部６０６の各配線パターンには個人情報に対応した磁界が生成される。
【０１１１】
このように磁気信号生成部６０３と磁気信号生成部６０５および磁気信号生成部６０６に生成された磁界は、図６（ｄ）に示すように磁気カードリーダ６２０の磁気ヘッド６２４と磁気ヘッド６２２および磁気ヘッド６２３にそれぞれ検知され、各磁気ヘッド６２２、６２３、６２４が検知した磁気信号に基づいて磁気カードリーダ６２０が個人情報を読み取る。
【０１１２】
なお、制御部６０２は、磁気信号生成部６０３と磁気信号生成部６０５および磁気信号生成部６０６へ流す電流の方向をそれぞれ独立して制御できるので、それぞれに同一の磁気信号を生成することも可能であるし、それぞれに別々の磁気信号を生成することも可能である。
【０１１３】
なお、磁気信号生成部６０３が個人情報に応じて生成する磁気信号と磁気信号生成部６０５が個人情報に応じて生成する磁気信号と磁気信号生成部６０６が個人情報に応じて生成する磁気信号とは同一の磁気信号を生成する。
【０１１４】
また、個人情報に応じた磁界を磁気信号生成部６０３と磁気信号生成部６０５および磁気信号生成部６０６に生成する方法については、図３に示した動作と同様であるので詳細説明は省略する。
【０１１５】
図７は、図２に示したような磁気カードリーダ用アダプタ装置の配線パターンの裏側に磁性体の板を配置した例の磁気カードリーダ用アダプタ装置を示す図である。
【０１１６】
図７（ａ）は、配線パターンの裏側に磁性体の板を配置した磁気カードリーダ用アダプタ装置７００の要部の平面図であり、図７（ｂ）は、磁気カードリーダ用アダプタ装置７００の要部の側面図である。
【０１１７】
図７（ｃ）および図７（ｄ）は、図７（ａ）に示した磁気信号生成部７０３の配線パターンの裏側に磁性体の板を配置した場合と配置しない場合とで配線パターンに生成される磁界の状態を示す図である。
【０１１８】
図７（ａ）に示すように、磁気カードリーダ用アダプタ装置７００は、ＲＳ−２３２Ｃを介して磁気カードリーダ用アダプタ装置７００と赤外線通信装置４との間の情報を授受するインタフェース部７０１と、赤外線通信装置４から入力された個人情報に応じて磁気信号生成部７０３へ流す電流の方向を制御するとともに磁気カードリーダ用アダプタ装置７００全体を制御する制御部７０２と、制御部７０２によって制御された電流の方向に応じて磁界を生成する平面状に形成された配線パターンの磁気信号生成部７０３を基板７０５上に形成し、磁気信号生成部７０３の配線パターンの裏側に磁性体の板７０４を配置して図７（ｂ）に示すようにプラスチック製のカードの中に合着されている。
【０１１９】
図７（ａ）および図７（ｂ）に示した磁気カードリーダ用アダプタ装置７００は、図２に示したような磁気カードリーダ用アダプタ装置１の磁気信号生成部１３の裏側に磁性体の板７０４（以下、「磁性体板７０４」という。）を配置した他は、図２に示したような磁気カードリーダ用アダプタ装置１の構成と同様であるので磁気カードリーダ用アダプタ装置７００の構成や動作の詳細説明については、説明の便宜上省略する。
【０１２０】
ここでは、磁気カードリーダ用アダプタ装置７００の配線パターンの裏側に磁性体板７０４を配置した場合の効果について図７（ｃ）および図７（ｄ）を参照しながら説明する。
【０１２１】
磁気信号生成部７０３の配線パターンの裏側に磁性体板７０４を配置しない場合は、配線パターンに流れる電流の方向に応じて図７（ｃ）に示すような磁界７１０が生成される。
【０１２２】
なお、図７（ｃ）は、説明の便宜上、配線パターンのうちの一つの導電部７４０に注目し、電流が紙面の表面から裏面の方向へ流れている場合に生成される磁界の例を用いて説明する。
【０１２３】
図７（ｃ）に示したように配線パターンに流れる電流の方向に応じて生成された磁界７１０に対して配線パターンの裏側に磁性体板７０４を配置すると図７（ｄ）に示すようなＡ’の部分７２１（一点鎖線で囲まれた部分）が磁性体板７０４内に生成されるようになる。
磁性体板７０４内に生成されたＡ’の部分７２１の磁束密度は、図７（ｃ）に示した磁界７１０のＡの部分７１１の磁束密度と比べて大きくなるので、配線パターンの裏側に磁性体板７０４を配置することによって図７（ｃ）に示した磁界７１０が図７（ｄ）に示すような磁界７２０へと変化する。
図７（ｃ）および図７（ｄ）に示すように、磁界７１０の任意の点Ｐ７１２の磁界ベクトルＨ７１３は、磁性体板７０４によって変化した磁界７２０では点Ｐ’７２２の磁界ベクトルＨ７２３となる。
【０１２４】
点Ｐの磁界ベクトルＨ７１３はベクトルＨｈ７１４とベクトルＨｖ７１５、点Ｐ’の磁界ベクトル７２３はベクトルＨｈ７２４とベクトルＨｖ７２５にそれぞれ分解できるので、分解したこれらのベクトルのうちの磁気ヘッド７３０が検知する磁気信号の磁界の大きさが最大となるのはベクトルＨｈ７２４となる。
したがって、配線パターンの裏側に磁性体板７０４を配置することにより配線パターンの裏側に磁性体板７０４を配置しない場合と比べて磁界の強さが大きな磁気信号を磁気ヘッドに入力できるようになる。
【０１２５】
なお、配線パターンの裏側に磁性体の板を配置する例は、複数の配線パターンが配置された場合や複数の配線パターンが表裏面に配置された場合のそれぞれの磁気カードリーダ用アダプタ装置に適用可能である。
【０１２６】
【発明の効果】
以上説明したように、この発明によれば、磁気カードリーダの磁気読取ヘッドによって読み取り可能な磁気信号を生成するための情報を取得し、磁気ヘッドの磁気検知方向に略直行し、取得した情報に対応して所望の電流を流す少なくとも１本の導電部を有する平面状に形成された配線パターンにより磁気信号パターンを生成するように構成したので、既存の磁気カードリーダを変更することなく磁気カードを介さずに情報を入力することができる。
【０１２７】
また、磁気カードを介さずに情報が入力できるので磁気カードを用いて情報を入力する場合と比べてセキュリティーが向上するという効果を奏する。
【図面の簡単な説明】
【図１】この発明に係わる磁気カードリーダ用アダプタ装置を用いた一実施の形態の要部の構成を示すブロック図である。
【図２】この発明に係わる磁気カードリーダ用アダプタ装置１の要部の構成を示すブロック図である。
【図３】図２に示した磁気信号生成部１３の配線パターンの一例を示す図である。
【図４】図３に示した配線パターンの形状とは他の形状の配線パターンの例を示す図である。
【図５】図２に示したような磁気カードリーダ用アダプタ装置に複数の配線パターンを配置した例を示す図である。
【図６】図２に示したような磁気カードリーダ用アダプタ装置の表裏の両面に複数の配線パターンを配置した例を示す図である。
【図７】図２に示したような磁気カードリーダ用アダプタ装置の配線パターンの裏側に磁性体の板を配置した例を示す図である。
【符号の説明】
１      磁気カードリーダ用アダプタ装置
２      磁気カードリーダ
１０    基板
１１    インタフェース部
１２    制御部
１３    磁気信号生成部
２０    磁気ヘッド
２１    カード挿入口
【図１】
2004334932.tif 000003
【図２】
2004334932.tif 000004
【図３】
2004334932.tif 000005
【図４】
2004334932.tif 000006
【図５】
2004334932.tif 000007
【図６】
2004334932.tif 000008
【図７】
2004334932.tif 000009